(57)【要約】【課題】容易に開蓋可能な蓋付きカートンを提供する。【解決手段】外側板１１，１２と内側板１３，１４による二重側壁部を少なくとも一側面に有して箱状に形成されたカートン本体１と、カートン本体１の二重側壁部の上面開口全体を覆って施蓋する蓋板２とを備えた蓋付きカートンであって、蓋板２により覆われる前記二重側壁部に、外側に傾斜する傾斜面部２１を形成し、傾斜面部２１と蓋板２との間に空隙部を設けた。【選択図】図１
2007168823.tif 000002
【特許請求の範囲】
【請求項１】
外側板と内側板による二重側壁部を少なくとも一側面に有して箱状に形成されたカートン本体と、当該カートン本体の二重側壁部の上面開口全体を覆って施蓋する蓋板とを備えた蓋付きカートンであって、
前記蓋板により覆われる前記二重側壁部に、外側に傾斜する傾斜面部を形成し、当該傾斜面部と前記蓋板との間に空隙部を設けたことを特徴とする蓋付きカートン。
【請求項２】
請求項１に記載の蓋付きカートンにおいて、
少なくとも前記空隙部が形成された部分における前記カートン本体及び前記蓋板は、包材にて覆われていることを特徴とする蓋付きカートン。
【請求項３】
請求項１に記載の蓋付きカートンにおいて、
少なくとも前記空隙部が形成された部分における前記カートン本体に前記蓋板が閉止部材にて閉止されていることを特徴とする蓋付きカートン。
【請求項４】
請求項１乃至請求項３のいずれかに記載の蓋付きカートンにおいて、
前記カートン本体は、前記二重側壁部が前記蓋板に連接された後側板を除く三方側面に備えた立方体又は直方体の箱に形成されていることを特徴とする蓋付きカートン。
【請求項５】
請求項４に記載の蓋付きカートンにおいて、
前記二重側壁部と前記後側板の両側にそれぞれ折れ線を介して連接され、かつ前記カートン本体における底板のそれぞれの隅角部から４５°の角度で二分される折込板を有し、当該折込板に中敷の差込片が差し込まれるとともに、前記中敷の平板を前記カートン本体内に嵌合したことを特徴とする蓋付きカートン。
【発明の詳細な説明】
【技術分野】
【０００１】
本発明は、外側板と内側板による二重側壁部を少なくとも一側面に有して箱状に形成されたカートン本体全体を蓋板により施蓋する蓋付きカートンに関する。
【背景技術】
【０００２】
従来、この種の蓋付きカートンは、箱状に形成され、例えば菓子等の土産品や弁当を供するために用いられている。上記蓋付きカートンは、例えば特許文献１及び２に開示されたものがある。これら特許文献１及び２に開示された発明は、蓋板がカートン本体の二重側壁部全体を密着した状態で施蓋している。
【０００３】
さらに、上記蓋付きカートンは、販売時点で未開封性（バージン性）を付与するためにカートン本体と蓋板にシール（閉止部材）を貼着するか、あるいは蓋板をシュリンクフィルム（包材）により覆っているのが通常である。
【０００４】
そして、特許文献１及び２に開示された発明では、蓋板がカートン本体の二重側壁部全体を施蓋しているため、カートン本体と蓋板にシールを貼着するか、あるいは蓋板をシュリンクフィルムにより覆った場合、上記カートン本体と上記蓋板にシールやシュリンクフィルムが密着することとなる。
【特許文献１】特開平１０−２７８９２２号公報
【特許文献２】特開平１１−２３６０２９号公報
【発明の開示】
【発明が解決しようとする課題】
【０００５】
上述した特許文献１及び２に開示された発明では、蓋板がカートン本体の二重側壁部全体を密着した状態で施蓋しているため、一般の健常者でも開蓋操作が困難である。特に、指先の運動能力の衰えてきた高齢者にとっては、極めて困難な作業であるという問題があった。
【０００６】
また、上記のような蓋付きカートンを使用する際、消費者はシールやシュリンクフィルムを剥がすことが開封作業の最初の作業となる。
【０００７】
また、特許文献１及び２に開示された発明では、カートン本体と蓋板にシールを貼着するか、あるいは蓋板をシュリンクフィルムにより覆った場合、消費者はシールやシュリンクフィルムを剥離することが開封作業の最初の作業となるものの、シールやシュリンクフィルムがカートン本体と蓋板に密着しているので、一般の健常者でも剥離作業が困難であった。特に、指先の運動能力の衰えてきた高齢者にとっては、極めて困難な作業であるという問題があった。
【０００８】
本発明は、上記事情を考慮してなされたもので、その目的とするところは、容易に開蓋可能な蓋付きカートンを提供することにある。
【０００９】
また、本発明の他の目的とするところは、包材や閉止部材を簡単に破り、容易に開封可能な蓋付きカートンを提供することにある。
【課題を解決するための手段】
【００１０】
上記課題を解決するため、本発明は次のような構成を採用する。
【００１１】
すなわち、請求項１に係る発明は、外側板（１１，１２）と内側板（１３，１４）による二重側壁部を少なくとも一側面に有して箱状に形成されたカートン本体（１）と、カートン本体（１）の二重側壁部の上面全体を覆って施蓋する蓋板（２）とを備えた蓋付きカートンであって、蓋板（２）により覆われる前記二重側壁部に、外側に傾斜する傾斜面部（２１）を形成し、傾斜面部（２１）と蓋板（２）との間に空隙部（３４）を設けたことを特徴とする。
【００１２】
請求項２に係る発明は、請求項１に記載の蓋付きカートンにおいて、少なくとも空隙部（３４）が形成された部分におけるカートン本体（１）及び蓋板（２）は、包材（３５）にて覆われていることを特徴とする。
【００１３】
請求項３に係る発明は、請求項１に記載の蓋付きカートンにおいて、少なくとも空隙部（３４）が形成された部分におけるカートン本体（１）に蓋板（２）が閉止部材（３６）にて閉止されていることを特徴とする。
【００１４】
請求項４に係る発明は、請求項１乃至請求項３のいずれかに記載の蓋付きカートンにおいて、カートン本体（１）は、前記二重側壁部が蓋板（２）に連接された後側板（２４）を除く三方側面に備えた立方体又は直方体の箱に形成されていることを特徴とする。
【００１５】
請求項５に係る発明は、請求項４に記載の蓋付きカートンにおいて、前記二重側壁部と後側板（２４）の両側にそれぞれ折れ線を介して連接され、かつカートン本体（１）における底板（１０）のそれぞれの隅角部から４５°の角度で二分される折込板（２７）を有し、折込板（２７）に中敷（３０）の差込片（３３）が差し込まれるとともに、中敷（３０）の平板（３１）をカートン本体（１）内に嵌合したことを特徴とする。
【発明の効果】
【００１６】
本発明によれば、蓋板（２）により覆われる二重側壁部に、外側に傾斜する傾斜面部（２１）を形成し、この傾斜面部（２１）と蓋板（２）との間に空隙部（３４）を設けたことから、その空隙部（３４）に指先を挿し込んで蓋板（２）を容易に開けることが可能となる。
【００１７】
また、少なくとも二重側壁部が形成された部分におけるカートン本体（１）及び蓋板（２）が包材（３５）にて覆われている場合や、カートン本体（１）に蓋板（２）が閉止部材（３６）にて閉止されている場合でも、空隙部（３４）に位置する包材（３５）や閉止部材（３６）に指先を押し込んで簡単に破ることで、容易に開封可能となる。
【発明を実施するための最良の形態】
【００１８】
次に、本発明の実施形態について図面を参照して説明する。
【００１９】
図１は本発明に係る蓋付きカートンの一実施形態においてカートン本体が開口した状態を示す斜視図、図２は本実施形態における蓋付きカートンのブランクを示す展開図である。なお、本実施形態の蓋付きカートンは、例えば菓子等の土産品や弁当を収納するものである。また、本実施形態の蓋付きカートンのブランクは、板紙、段ボール等のシートをプレス装置等で打抜くことにより製造される。
【００２０】
図１に示すように、本実施形態の蓋付きカートンは、上面が開口した立方体又は直方体の箱に形成されたカートン本体１と、このカートン本体１の上面開口の後縁に連接され、カートン本体１の上面開口を覆って施蓋するとともに、上面開口に対して開閉可能な蓋板２とを備えている。
【００２１】
ここで、以下の実施形態では、カートン本体１において蓋板２が連接された側を後側とし、この後側に対向する側を前側とし、この前側から見てそれぞれ左側、右側として説明する。
【００２２】
図２に示すように、本実施形態の蓋付きカートンのブランクは、正方形若しくは長方形状をなす底板１０を有し、この底板１０の対向する一対端部にそれぞれ折れ線ａを介して左外側板１１及び右外側板１２と、これら左右外側板１１，１２の外側に幅折れ線ｂを介して左内側板１３及び右内側板１４と、折れ線ｃを介して左固定板１５及び右固定板１６とが順次連接されている。
【００２３】
左外側板１１及び右外側板１２は、それぞれ前側に折れ線ｄを介して傾斜フラップ１７，１７が連接されている。また、左内側板１３及び右内側板１４は、それぞれ前側に折れ線ｅを介して支持板１８，１８が連接されている。そして、左内側板１３及び右内側板１４と左固定板１５及び右固定板１６との間には、それぞれ前側に開口する切込部１９，１９が形成されている。
【００２４】
また、底板１０の対向する他の一対端部のうち一方端部には、折れ線ｆを介して前外側板２０と、この前外側板２０の外側に折れ線ｇを介して傾斜面部を形成する傾斜板２１と、この傾斜板２１の外側に幅折れ線ｂより狭い幅の幅折れ線ｈを介して前内側板２２と、この前内側板２２の外側に折れ線ｉを介して固定板２３とが順次連接されている。
【００２５】
前外側板２０は、左外側板１１及び右外側板１２より幅が狭く形成され、折れ線ｆで折り立て、傾斜板２１を折れ線ｇで谷折りした際、傾斜板２１の上辺と折り立てた左外側板１１及び右外側板１２との高さが等しくなるようにしている。
【００２６】
前内側板２２は、傾斜板２１より各幅折れ線ｂの幅分短く形成されている。そして、固定板２３には、前内側板２２の両側からそれぞれ切込部１９，１９に差し込んで係止可能な長さに張り出す張出し片２３ａ，２３ａが一体に形成されている。
【００２７】
さらに、底板１０の対向する他の一対端部のうち他方端部には、折れ線ｊを介して後側板２４と、この後側板２４の外側に折れ線ｋを介して外蓋板２５と、この外蓋板２５の外側に折れ線ｌを介して内蓋板２６とが順次連接されている。これら外蓋板２５及び内蓋板２６は、内蓋板２６を折り畳んで外蓋板２５に重ねた際、互いの全面が重なるように同一幅で同一長さに形成されている。
【００２８】
一方、左外側板１１及び右外側板１２のそれぞれと後側板２４の両側には、折れ線ｍ，ｎを介して連接され、かつ底板１０のそれぞれの隅角部から各折れ線ｍ，ｎに対して４５°の角度の折れ線ｏで二分される折込板２７を備えている。
【００２９】
また、左外側板１１及び右外側板１２のそれぞれと前外側板２０の両側には、折れ線ｐ，ｑを介して連接され、かつ底板１０のそれぞれの隅角部から各折れ線ｐ，ｑに対して４５°の角度の折れ線ｒで二分される折込板２８を備えている。この折込板２８は、左外側板１１及び右外側板１２にそれぞれ傾斜フラップ１７，１７を連接したことから折込板２７より小さく形成されている。
【００３０】
なお、幅折れ線ｂ，ｈは、図１に示すようにそれぞれ互いに平行に近接する２本の折れ線ｂ１，ｂ２、折れ線ｈ１，ｈ２により形成され、蓋付きカートンとして組立て完成した後の二重側壁部の上端面となる部分である。
【００３１】
また、左固定板１５及び右固定板１６及び固定板２３は、蓋付きカートンとして組み立てる際に、それぞれ底板１０内面と重ね合わせられて、接着剤等により貼着若しくは差し込み係止される部分である。すなわち、左固定板１５及び右固定板１６は、蓋付きカートンとして組み立てる際に、それぞれ底板１０内面と重ね合わせられて、接着剤等により貼着される。また、固定板２３は、蓋付きカートンとして組み立てる際に、それぞれ底板１０内面と重ね合わせられて、張出し片２３ａ，２３ａが切込部１９，１９に差し込み係止される。
【００３２】
さらに、支持板１８，１８は、蓋付きカートンとして組み立てる際に、前外側板２０を折れ線ｆで折り立て、傾斜板２１を折れ線ｇで谷折りし、さらに幅折れ線ｈで前内側板２２を谷折りした場合、前外側板２０と前内側板２２とで挟持される。
【００３３】
そして、左外側板１１及び左内側板１３、右外側板１２及び右内側板１４は、蓋付きカートン１として組み立てた際、二重側壁部となる。同様に、前外側板２０及び前内側板２２も組み立てた際に二重側壁部となる。したがって、本実施形態では、三方側面に二重側壁部が形成されることになる。
【００３４】
図３は本実施形態の蓋付きカートンに組み付けられる中敷のブランクを示す展開図である。
【００３５】
図３に示すように、中敷３０は、蓋付きカートンとして組み立てた際の開口底面と同等の大きさの平板３１を有し、この平板３１には、折れ線ｓを介して後側板２４と同一幅の支持板３２と、この支持板３２の外側に折れ線ｔを介して先端に円弧部３３ａが形成された差込片３３とが順次連接されている。
【００３６】
そして、中敷３０は、蓋付きカートンとして組み立てた際、平板３１がカートン本体１の底板１０に当接するまで嵌合し、差込片３３が折れ線ｏで折り込まれた折込板２７と後側板２４との間に差し込まれる。これにより、折込板２７は、差込片３３及び支持板３２で狭持されることになる。
【００３７】
次に、図２及び図３に示したブランクに基づいて本実施形態の蓋付きカートンの組立て順序を図１及び図４〜図１２に従って説明する。
【００３８】
まず、図４及び図５に示すように、底板１０の対向する一対の折れ線ａ，ａを介してそれぞれ左外側板１１及び右外側板１２を同一方向に直角に折り立て、続いて折れ線ａと同一方向に折れ線ｂ１，ｂ２を直角に折り曲げて、互いに左外側板１１と右外側板１２とを平行に対向させ、さらに対向する左固定板１５及び右固定板１６ａを、折れ線ａと反対方向（場合によっては同一方向でもよい）に折れ線ｃを介して直角に折り曲げた後、底板１０の内面に重ね合わせて貼着して固定し、図６に示すように互いに対向する一対の二重側壁部を形成する。
【００３９】
次いで、図５に示すように内蓋板２６を折れ線ｌを介して折り畳んで外蓋板２５に重ね、図６に示すように接着剤等により両者を貼着することにより蓋板２が形成される。
【００４０】
さらに、図７に示すように傾斜フラップ１７，１７を折れ線ｄを介して内側に直角に折り曲げた後、支持板１８，１８も同様に折れ線ｅを介して内側に直角に折り曲げる。したがって、傾斜フラップ１７，１７を折れ線ｄを介して内側に直角に折り曲げたことにより、図１に示すように左外側板１１及び右外側板１２の前側の各辺に傾斜辺１７ａ，１７ａが形成されることになる。
【００４１】
続いて、折込板２８を折れ線ｐ，ｑ，ｒを介して内側に折り込んで、折込板２８を対向しない二重側壁部を構成する前外側板２０に重ねる。そして、前外側板２０を折れ線ｆを介して内側に直角に折り曲げた後、傾斜板２１を折れ線ｇを介して傾斜辺１７ａ，１７ａと同角度に、つまり前側（外側）に傾斜するように折り曲げる。そして、前内側板２２を折れ線ｈ１，ｈ２を介して同一方向（内方）に直角に折り曲げ、固定板２３を折れ線ｉを介して折れ線ｆと反対方向（場合によっては同一方向でもよい）に直角に折り曲げた後、図８に示すように底板１０の内面に重ね合わせて切込部１９，１９に固定板２３の張出し片２３ａ，２３ａを差し込んで固定して、図９に示すように底板１０の三辺に二重側壁部を形成する。
【００４２】
次に、折込板２７を折れ線ｍ，ｎ，ｏを介して内側に折り込む。そして、図１０に示すように中敷３０の支持板３２を折れ線ｓを介して直角に折り曲げ、差込片３３を折れ線ｔを介して支持板３２に対して鋭角に折り曲げる。次いで、この中敷３０の平板３１をカートン本体１の底板１０に当接するまで嵌合し、差込片３３を折れ線ｍ，ｎ，ｏで内側に折り込まれた折込板２７と後側板２４との間に差し込んで固定し、図１に示すような本実施形態の蓋付きカートンを形成する。
【００４３】
そして、図１に示すように箱状に形成された蓋付きカートンの内部に、例えば菓子等の土産品や弁当等の食品を収納した後、互いに貼着された内蓋板２６及び外蓋板２５からなる蓋板２を折れ線ｋを介して内側に直角に折り曲げて、上部の開口を施蓋する。この状態では、蓋板２の前端と傾斜板２１との間に空隙部３４が形成される。続いて、図１２に示すようにカートン本体１及び蓋板２を包材としてのシュリンクフィルム３５により覆うことで組立てを完了する。
【００４４】
なお、シュリンクフィルム３５を使用しない場合には、閉止部材としてのシール３６をカートン本体１及び蓋板２に貼着してカートン本体１に蓋板２を閉止する。
【００４５】
次に、本実施形態の作用を説明する。
【００４６】
図１２に示すように組み立てられた本実施形態の蓋付きカートンは、蓋板２の前端と傾斜板２１との間に空隙部３４が形成される。これにより、カートン本体１の三辺に形成された二重側壁部と蓋板２を接着剤により貼着したとしても、空隙部３４が形成されたことから空隙部３４に指先を挿し込んで蓋板２の前端を指先で摘んで剥離することで、開封作業を極めて容易に行うことができる。特に、指先の運動能力の衰えてきた高齢者にとっても、容易に開封することができる。
【００４７】
また、上記のように蓋板２をシュリンクフィルム３５により覆った場合や、カートン本体１と蓋板２にシール３６を貼着した場合でも、空隙部３４が形成されたことから、シュリンクフィルム３５やシール３６に指先を押し込んで破ることで、容易に開封することが可能となる。この場合も同様に、指先の運動能力の衰えてきた高齢者にとっても、容易に開封することができる。この場合、空隙部３４が形成された部分におけるカートン本体１及び蓋板２にシュリンクフィルム３５が覆われ、またカートン本体１に蓋板２がシール３６により閉止されることになる。
【００４８】
このように本実施形態によれば、蓋板２により覆われる二重側壁部に、外側に傾斜する傾斜板２１を形成し、この傾斜板２１と蓋板２との間に空隙部３４を設けたことから、その空隙部３７に指先を挿し込んで蓋板２を容易に開けることが可能となる。
【００４９】
また、本実施形態によれば、カートン本体１及び蓋板２がシュリンクフィルム３５にて覆われている場合や、カートン本体１に蓋板２がシール３６にて閉止されている場合でも、空隙部３４に位置するシュリンクフィルム３５やシール３６に指先を押し込んで簡単に破ることで、容易に開封可能となる。
【００５０】
なお、本発明は、上記実施形態に限定されることなく、種々の変更が可能である。例えば、上記実施形態では、カートン本体１を立方体又は直方体の箱に形成した例について説明したが、その他の多角形の立体に形成した場合でも適用可能である。
【００５１】
また、本実施形態では、カートン本体１の三辺に二重側壁部を形成したが、少なくとも一辺に二重側壁部を形成したものでも適用可能である。この場合には、少なくとも一辺の二重側壁部に傾斜板２１が形成され、この傾斜板２１と蓋板２との間に空隙部３４が形成されていることになる。
【図面の簡単な説明】
【００５２】
【図１】本発明に係る蓋付きカートンの一実施形態においてカートン本体が開口した状態を示す斜視図である。
【図２】本実施形態における蓋付きカートンのブランクを示す展開図である。
【図３】本実施形態の蓋付きカートンに組み付けられる中敷のブランクを示す展開図である。
【図４】図２のブランクの組立て手順を示す斜視図である。
【図５】図２のブランクの組立て手順を示す斜視図である。
【図６】図２のブランクの組立て手順を示す斜視図である。
【図７】図２のブランクの組立て手順を示す斜視図である。
【図８】図２のブランクの組立て手順を示す斜視図である。
【図９】図２のブランクの組立て手順を示す斜視図である。
【図１０】図３の中敷のブランクを折り曲げた状態を示す斜視図である。
【図１１】本実施形態のカートン本体に中敷を組み付ける状態を示す斜視図である。
【図１２】本実施形態の蓋付きカートンの組立て完了状態を示す斜視図である。
【符号の説明】
【００５３】
１…カートン本体
２…蓋板
１０…底板
１１…左外側板
１２…右外側板
１３…左内側板
１４…右内側板
１５…左固定板
１６…右固定板
１７…傾斜フラップ
１８…支持板
１９…切込部
２０…前外側板
２１…傾斜板（傾斜面部）
２２…前内側板
２３…固定板
２４…後側板
２５…外蓋板
２６…内蓋板
２７…折込板
２８…折込板
３０…中敷
３１…平板
３２…支持板
３３…差込片
３４…空隙部
３５…シュリンクフィルム（包材）
３６…シール（閉止部材）
【図１】
2007168823.tif 000003
【図２】
2007168823.tif 000004
【図３】
2007168823.tif 000005
【図４】
2007168823.tif 000006
【図５】
2007168823.tif 000007
【図６】
2007168823.tif 000008
【図７】
2007168823.tif 000009
【図８】
2007168823.tif 000010
【図９】
2007168823.tif 000011
【図１０】
2007168823.tif 000012
【図１１】
2007168823.tif 000013
【図１２】
2007168823.tif 000014